(57)【要約】【課題】構造簡単にして連結・切り離し操作が簡単で、老人や障害者等でも容易に取り扱いできて、ネックレスを自分で簡単に着脱できるネックレス用連結具を提供する。【解決手段】ネックレス９の両端部を連結する連結具であって、互いに吻合可能に形成され、夫々磁石４，５を有する一対の連結部材２，３からなる。両連結部材２，３は、磁石４，５で吻合面４ａ，５ａどうしが吸着されることによって連結され、その磁気吸着力を上回る力で両連結部材２，３を反対方向に引っ張ることによって切り離され、各連結部材２，３は、吻合面４ａ，５ａと反対側端部がネックレス９の端部に連結されるようになっている。【選択図】図１
0003130573.tif 000002
【実用新案登録請求の範囲】
【請求項１】
ネックレスの両端部を連結する連結具であって、互いに吻合可能に形成され、夫々磁石を有する一対の連結部材からなり、両連結部材は、磁石で吻合面どうしが吸着されることによって連結されると共に、その磁気吸着力以上の力で両連結部材を反対方向に引っ張ることによって切り離され、各連結部材は、吻合面と反対側端部がネックレスの端部に連結されるようになっているネックレス用連結具。
【請求項２】
両連結部材の一方の連結部材にはその吻合面の外周縁に沿って、他方の連結部材の吻合面を一方の吻合面に吻合させるように案内するための略スカート状の鍔部が設けられている請求項１に記載のネックレス用連結具。
【請求項３】
各連結部材は、吻合面を含む連結部材の一部が磁石によって形成されている請求項１又は２に記載のネックレス用連結具。
【請求項４】
各連結部材は、その全部が磁石によって形成されている請求項１又は２に記載のネックレス用連結具。
【考案の詳細な説明】
【技術分野】
【０００１】
本考案は、ネックレスの両端部を連結するためのネックレス用連結具に関するものである。
【背景技術】
【０００２】
従来のネックレス用連結具として、特許公報等の具体的な公知文献を挙げることはできないが、現在主流の連結具は、その構成部品が小さく複雑な構造となっていることから、老人や障害者等には非常に使用しづらく、一般的な人にとっても使い勝手が悪く、ネックレスの装着に時間がかかってしまい、また連結操作を誤って、ネックレスを落としたり、紛失したり、損傷してしまうことがあった。
【考案の開示】
【考案が解決しようとする課題】
【０００３】
本考案は、上記のような従来の連結具の問題点に鑑み、構造簡単にして連結・切り離し操作が容易で、老人や障害者等でも簡単に取り扱いできて、ネックレスを自分で簡単に着脱できるネックレス用連結具を提供することを目的とする。
【課題を解決するための手段】
【０００４】
上記課題を解決するための手段を、後述する実施形態の参照番号を付して説明すると、請求項１に係る考案は、ネックレス９の両端部を連結する連結具であって、互いに吻合可能に形成され、夫々磁石４，５を有する一対の連結部材２，３からなり、両連結部材２，３は、磁石４，５で吻合面４ａ，５ａどうしが吸着されることによって連結されると共に、その磁気吸着力以上の力で両連結部材２，３を反対方向に引っ張ることによって切り離され、各連結部材２，３は、吻合面４ａ，５ａと反対側端部がネックレス９の端部に連結されるようになっていることを特徴とする。
【０００５】
請求項２は、請求項１に記載のネックレス用連結具において、両連結部材２，３の一方の連結部材３にはその吻合面５ａの外周縁に沿って、他方の連結部材２の吻合面４ａを一方の吻合面５ａに吻合させるように案内するための略スカート状の鍔部８が設けられていることを特徴とする。
【０００６】
請求項３は、請求項１又は２に記載のネックレス用連結具において、各連結部材２，３は、吻合面４ａ，５ａを含む連結部材２，３の一部が磁石４，５によって形成されていることを特徴とする。
【０００７】
請求項４は、請求項１又は２に記載のネックレス用連結具において、各連結部材２，３は、その全部が磁石によって形成されていることを特徴とする。
【考案の効果】
【０００８】
上記解決手段による考案の効果を、後述する実施形態の参照番号を付して説明すると、請求項１に係る考案によれば、ネックレス９の装着にあたって、両連結部材２，３を連結する時は、両連結部材２，３の吻合面４ａ，５ａどうしを突き合わせればよく、またネックレス９を取り外す時には、両連結部材２，３を、磁石４，５の磁気吸着力を上回る力で反対方向に引っ張ればよいから、両連結部材２，３の連結及び切り離し操作がワンタッチで簡単に行なえ、従って老人や障害者でも自分でネックレス９の着脱を容易に行なうことができる。
【０００９】
また、両連結部材２，３の連結及び切り離し操作が容易に行なえるため、連結具１によるネックレス９の留めの失敗がほとんどなくなり、高価なネックレスであっても、落下、紛失及び損傷の危険性を大幅に減少させることができる。
【００１０】
請求項２に係る考案によれば、両連結部材２，３の一方の連結部材３には吻合面５ａの外周縁に沿って、他方の連結部材２の吻合面４ａを一方の吻合面５ａに吻合させるように案内するための略スカート状の鍔部８が設けられているから、両連結部材２，３の吻合面４ａ，５ａどうしを突き合わせる際に、一方の連結部材３の吻合面５ａの周縁部を他方の連結部材２の鍔部８に当て付けるようにして案内することによって、両連結部材２，３の吻合面４ａ，５ａどうしの吸着が容易となる。
【００１１】
請求項３に係る考案によれば、各連結部材２，３は、吻合面４ａ，５ａを含む連結部材２，３の一部が磁石４，５によって形成されているから、磁石４，５を除く他の構成部分を例えば金や銀やプラチナなどの貴金属で形成することにより、連結具１をより高級なものとすることができる。
【００１２】
請求項４に係る考案によれば、各連結部材２，３の全部を磁石で形成することにより、連結部材２，３の構造がきわめて簡単となり、コストをより安くすることができる。
【考案を実施するための最良の形態】
【００１３】
以下に本考案の好適な実施形態を図面に基づいて説明すると、図１の(a) 〜(c)は 本考案に係るネックレス用連結具１を示したもので、この連結具１は、図１の(a) 及び(b) に示すように、互いに吻合可能に形成され且つ互いに吸引可能な磁石４，５を有する一対の連結部材２，３からなり、両連結部材２，３は、磁石４，５で吻合面４ａ，５ａどうしが吸着されることによって連結されると共に、その磁気吸着力を上回る力で両連結部材２，３を反対方向に引っ張ることによって切り離され、しかして各連結部材２，３は、吻合面４ａ，５ａと反対側端部がネックレスの端部に連結されるようになっている。
【００１４】
各連結部材２，３は、釣り鐘型に形成されたもので、図２及び図３から分かるように、金属製の釣り鐘状ケーシング本体６，７と、この釣り鐘状ケーシング本体６，７の内部に収納された太鼓状の永久磁石４，５とからなる。一方の連結部材２の太鼓状磁石４は、その一側面４ａが鐘状ケーシング本体６の開口端面から僅かに突出して吻合面を形成するように釣り鐘状ケーシング本体６内に嵌着固定されている。各釣り鐘状ケーシング本体６，７は、金、銀、プラチナなど所望の貴金属によって形成することができる。
【００１５】
他方の連結部材３の太鼓状磁石５も、その一側面５ａが釣り鐘ケーシング本体７の開口端面から僅かに突出して吻合面を形成するように釣り鐘状ケーシング本体７内に嵌着固定されている。この釣り鐘状ケーシング本体７にはその外周縁沿ってに略スカート状の鍔部８が一体に突設され、このスカート状鍔部８は、当該他方の連結部材２の吻合面５ａに前記一方の連結部材２の吻合面４ａを吻合させるように案内するためのものである。
【００１６】
また、連結部材２，３の釣り鐘ケーシング本体６，７には連結部材２，３の吻合面４ａ，５ａが形成される端部と反対側の端部にリング部６ａ，７ａが一体に設けられていて、これらのリング部６ａ，７ａには、図１の(a) ，(b) に仮想線で示すようにネックレス９の両端部が取付リング１０，１０を介して取り付けられるようになっている。
【００１７】
また、各連結部材２，３の表面には、両連結部材２，３を掴んで連結したり、切り離す時に、連結部材２，３が滑らないようにするための滑り止め用凹凸部（又は刻み部）１１が形成されている。尚、この滑り止め用凹凸部１１は連結部材２，３の表面の装飾模様を兼ねている。
【００１８】
上記のように構成される連結具１の使用にあたっては、図１の(a) ，(b) に示すようにネックレス９の両端部に設けてある取付リング１０，１０を両連結部材２，３のリング部６ａ，７ａに取り付けた状態とし、この状態でネックレス９を首に回し、両連結部材２，３を両手で摘んで、吻合面４ａ，５ａどうしを突き合わせれば、両吻合面４ａ，５ａが磁石４，５の磁気吸引力で互いに吸着して両連結部材２，３を連結し、図１の(b) 及び図４に示すようにネックレス９の両端部を簡単容易につなぐことができる。
【００１９】
この場合、一方の連結部材３にはその吻合面５ａの外周縁に沿って、他方の連結部材２の吻合面４ａを一方の吻合面５ａに吻合させるように案内する略スカート状の鍔部８が設けてあるため、両連結部材２，３の吻合面４ａ，５ａどうしを突き合わせる際に、一方の連結部材３の吻合面５ａの周縁部を他方の連結部材２の鍔部８に当て付けるようにして案内することにより、両連結部材２，３の吻合面４ａ，５ａどうしの吸着が容易となって、両連結部材２，３の連結が容易となる。
【００２０】
両連結部材２，３は、磁石４，５の磁気吸着力を上回る力で反対方向に引っ張ることによって切り離され、それによりネックレス９を取り外すことができる。
【００２１】
以上説明したネックレス用連結具１によれば、ネックレス９の装着にあたって、両連結部材２，３を連結する時は、両連結部材２，３の吻合面４ａ，５ａどうしを突き合わせればよく、またネックレス９を取り外す時には、両連結部材２，３を、磁石４，５の磁気吸着力を上回る力で反対方向に引っ張ればよいから、両連結部材２，３の連結及び切り離し操作がワンタッチで簡単に行なえ、従って老人や障害者でも自分で簡単にネックレス９の着脱を容易に行なうことができる。
【００２２】
また、上記のように両連結部材２，３の連結及び切り離し操作が容易に行なえるため、連結具１によるネックレス９の留めの失敗がほとんどなくなり、高価なネックレスであっても、落下、紛失及び損傷の危険性を大幅に減少させることができる。
【００２３】
また上述した図示による実施形態では、各連結部材２，３は、吻合面４ａ，５ａを含む連結部材２，３の一部が磁石４，５により形成されたもので、ケーシング本体６，７と、このケーシング本体６，７の内部に収納された太鼓状の永久磁石４，５とからなるため、ケーシング本体６，７を金や銀あるいはプラチナなどの所望の貴金属で形成することができるし、またケーシング本体６，７の表面に所望の装飾を施すことができる。
【００２４】
尚、この実施形態では、ケーシング本体６，７を釣り鐘状に形成すると共に、磁石４，５を釣り鐘状ケーシング本体６，７に収容可能な太鼓状に形成しているが、このケーシング本体６，７は釣り鐘型に限らず、どのような形状にしてもよく、また磁石４，５も太鼓状に限らず、ケーシング本体６，７に収容できる形状であれば、どのような形状に形成してもよい。
【００２５】
また、図示はしていないが、各連結部材２，３は、その全部を磁石によって形成することができる。このように各連結部材２，３の全部を磁石すれば、構造がきわめて簡単となって、製作コストをより安くすることができる。
【図面の簡単な説明】
【００２６】
【図１】本考案に係るネックレス用連結具を示すもので、(a) は両連結部材を切り離した状態の正面図、(b) は両連結部材を連結させた状態の正面図、(c) は両連結部材が連結された状態の一部拡大断面図である。
【図２】一対の連結部材の一方を示すもので、(a) は正面図、(b) は平面図、(c) は吻合面側から見た端面図である。
【図３】一対の連結部材の他方を示すもので、(a) は正面図、(b) は平面図、(c) は吻合面側から見た端面図である。
【図４】ネックレス用連結具の使用状態を示す斜視図である。
【符号の説明】
【００２７】
１                ネックレス用連結具
２，３            連結部材
４，５            磁石
４ａ，５ａ        吻合面
６，７            ケーシング本体
８                略スカート状の鍔部
９                ネックレス
【図１】
0003130573.tif 000003
【図２】
0003130573.tif 000004
【図３】
0003130573.tif 000005
【図４】
0003130573.tif 000006